(57)【要約】【課題】金属製の内容器と外容器の間を真空にした保温容器で、保温する湯は、別容器で沸かさず、保温容器で直接沸かし、湯温が低下した場合は、冷めた湯は保温容器より放出せず、再度、そのまま保温容器で湯を沸かす事が出来て、尚且つ、氷や冷水等も保冷でき、屋内外や、野外へ自由に持ち運びできる保温容器を提供する。【解決手段】内容器（１）は金属製で、内容器（１）と外容器（２）の間を真空（７）にして、内容器（１）と外容器（２）の間に、磁力発生コイル（３）を内設し、外容器（２）の底部に端子（４）と端子（５）を設け、磁力発生コイル（３）の一方の端を、端子（４）に接合し、磁力発生コイル（３）の他方の端を、端子（５）に接合したことを特徴とする。【選択図】  図１
2005192680.tif 000002
【特許請求の範囲】
【請求項１】
内容器（１）は金属製で、内容器（１）と外容器（２）の間を真空（７）にして、内容器（１）と外容器（２）の間に、磁力発生コイル（３）を内設し、外容器（２）の底部に端子（４）と端子（５）を設け、磁力発生コイル（３）の一方の端を、端子（４）に接合し、磁力発生コイル（３）の他方の端を、端子（５）に接合した保温容器。
【請求項２】
内容器（１）の底面と外容器（２）の底の間に、磁力発生コイル（３）を内設した「請求項１」の保温容器。
【請求項３】
内容器（１）の側面外周に、磁力発生コイル（３）を周設した「請求項１」の保温容器。
【請求項４】
磁力発生コイル（３）の両端の何れかの端と、外容器（２）の底部の端子（４）と端子（５）の何れかの端子の間に抵抗体（１７）を接合した「請求項１」の保温容器。
【請求項５】
外容器（２）の底面に磁力発生コイル（１８）を付設して、磁力発生コイル（１８）の一方の端を外容器（２）の底部の端子（５）に接合して、磁力発生コイル（１８）の他方の端を、外容器（２）の底部の端子（４）に接合した「請求項１」の保温容器。
【請求項６】
外容器（２）は金属製で、外容器（２）の下部位は、高周波磁界で発熱作用を受けない金属の外容器（２）の「請求項１」の保温容器。
【発明の詳細な説明】
【発明の詳細な説明】
【技術分野】
【０００１】  この発明は、内容器と外容器からなり、内容器と外容器の間が真空で、その内容器と外容器の間の真空中に、内容器を加熱する、加熱用の磁力発生コイルを、内設した保温容器に関するものである。
【背景技術】
【０００２】  従来の保温容器は、内容器と外容器からなる内外二層のガラスまたはステンレスの間を真空層にした保温容器で、沸かした湯を内容器の中に注入して保温していた。しかし時間が経過すると内容器の湯温は低下し、冷めた湯は、新たな湯と入れ替えるため内容器より放出し、新たに別の容器で湯を沸かし、その沸かした湯を、その都度、内容器の中に再注入して保温するなどの不便さがある。また、内容器と外容器がステンレス鋼で、側面だけが内外二層で、内外二層の間は真空だが、底はステンレス鋼一枚の単層の容器の電気ポットは、その底面を電熱体で加熱して内容器の中の水を沸し、内容器の底面が単層のため、電源を切ると、沸いた湯は、内容器の底面から冷めはじめ、冷めないようにするために、常時、室内のコンセントから保温用の電力を供給して、湯を保温しなければならない等、無駄な電力を費やする。このように、保温用の電源がない野外では使えない不便があり、暑い時など、この内容器に氷や冷水等を入れて保冷する事などは、内容器の底面が単層のために出来ない欠点がある。
【発明が解決しようとする課題】
【０００３】  本発明は、以上の不便さや、無駄や欠点などを解消しようとするものである。金属製の内容器と外容器の間を真空にした保温容器で、保温する湯を別容器で沸かさず、保温容器で直接湯を沸かすことが出来て、湯温が低下した場合は、冷めた湯は保温容器より放出せず、再度、そのまま保温容器で湯を沸かす事が出来て、尚且つ、氷や冷水等も保冷できて、屋内外や、野外へ自由に持ち運びできる保温容器を開発しようとするものである。
【課題を解決するための手段】
【０００４】  いまこれを、図面について説明すれば内容器（１）と外容器（２）の間が真空（７）で、内容器（１）の底面と外容器（２）の底の間に、磁力発生コイル（３）を内設して、外容器（２）の底部に端子（４）と端子（５）を設け、磁力発生コイル（３）の一方の端を、端子（４）に接合し、磁力発生コイル（３）の他方の端を、端子（５）に接合する。本発明は、以上のような構成よりなる保温容器である。
【発明を実施するための最良の形態】
【０００５】  本案の実施例を、図面を参照しながら説明する。第１実施例  ステンレス製の内容器（１）とステンレス製の外容器（２）の間が真空（７）で、内容器（１）の底面と外容器（２）の底の間に、磁力発生コイル（３）を内設して、外容器（２）の底面の底部カバー（６）に端子（４）と端子（５）を設け、磁力発生コイル（３）の一方の端を底部カバー（６）の端子（４）に接合し、磁力発生コイル（３）の他方の端を底部カバー（６）の端子（５）に接合した保温容器を、高周波電力器（８）の上に置き、保温容器の底部カバー（６）の端子（４）と端子（５）を、高周波電力器（８）の端子（９）と端子（１０）に接着させて、電源プラグ（１２）を商用交流電力用コンセントに差込み、切換スイッチ（１４）の接点を端子側の接点に切換え、電源スイッチ（１３）を入れると、高周波インバーター（１６）より高周波電力が端子（９）と端子（１０）に出力され、この高周波電力は、端子（９）と端子（１０）に接着している保温容器の底部カバー（６）の端子（４）と端子（５）を経由して、内容器（１）の底面に内設した磁力発生コイル（３）に供給され、磁力発生コイル（３）に高周波磁界を発生させ、この磁界によってステンレス製の内容器（１）の底面に渦電流が流れ、この電流が内容器（１）の底面の抵抗に作用して底面自体が発熱し、内容器（１）の中に入れた水は、内容器（１）の発熱した底面で加熱され湯になる。第２実施例  ステンレス製の内容器（１）とステンレス製の外容器（２）の間を真空（７）にして、外容器（２）の下部位は、高周波磁界で発熱作用を受けないアルミニュウム（２０）にした外容器（２）の底と、内容器（１）の底面との間に、磁力発生コイル（３）を内設し、抵抗体（１７）を電熱体にして、磁力発生コイル（３）の一方の端と、抵抗体（１７）の一方の端と接合し、抵抗体（１７）の他方の端を、底部カバー（６）の端子（４）と接合する。磁力発生コイル（３）の他方の端と、底部カバー（６）の端子（５）と接合する。外容器（３）の底面と、底部カバー（６）の間に磁力発生コイル（１８）を付設し、磁力発生コイル（１８）の一方の端と、底部カバー（６）の端子（５）と接合し、磁力発生コイル（１８）の他方の端を、底部カバー（６）の端子（４）と接合する。以上の構成よりなる保温容器を、内容器（１）に水を入れ、高周波電力器（８）の磁力発生コイル（１１）の上面部位に置き、切換スイッチ（１４）の接点を磁力発生コイル（１１）の接点に切換え、電源プラグ（１２）を商用交流電力用コンセントに差込み、電源スイッチ（１３）を入れ、高周波インバーター（１６）より高周波電力を出力し、この高周波電力を磁力発生コイル（１１）に供給して、磁力発生コイル（１１）に高周波磁界を発生させ、この磁力発生コイル（１１）の上面部位にある保温容器の、外容器（２）の底面と底部カバー（６）の間に付設した磁力発生コイル（１８）は、磁力発生コイル（１１）の高周波磁界との相互誘導作用により、磁力発生コイル（１８）に起電力が生じて高周波電流が発生して、内容器（１）の底面に内設した磁力発生コイル（３）の一方の端は、電熱体を抵抗体（１７）とした抵抗体（１７）の一方の端と接合し、抵抗体（１７）の他方の端は、底部カバー（６）の端子（４）と接合され、磁力発生コイル（３）の他方の端は、底部カバー（６）の端子（５）と接合されているので、磁力発生コイル（１８）に生じた高周波電流は、底部カバー（６）の端子（４）と端子（５）を経由し、抵抗体（１７）の誘導電流として、磁力発生コイル（３）に高周波電流が流れると、磁力発生コイル（３）に高周波磁界が発生して、この高周波磁界によりステンレス製の内容器（１）の底面に渦電流が流れ、この電流が内容器（１）の底面の抵抗に作用して内容器（１）の底面自体が発熱して、内容器（１）の中に入れた水は、内容器（１）の発熱した底面で加熱され湯になる。
【発明の効果】
【０００６】  本発明の保温容器は、保温容器自体で直接湯を沸せるので、他容器から湯を移し替える手間が省けるようになった。保温容器の中で湯が冷めた時は、新たな湯と入れ替える必要はなく、そのまま再度沸すことができるので、新たに別の容器で湯を沸かしたり、その沸かした湯を、その都度、内容器の中に再注入して保温するなどの不便が解消された。また、本発明の保温容器の保温効果は、従来の魔法瓶と同等なので、保温するための電力を必要としないので、従来の電気ポットが保温用に費やしていた電力を、無駄な電力として省くことが出来た。このように電力を使わずとも長時間保温できるので、無駄な電力を消費しない等の経済効果がある。また、内容器と外容器の間が真空なので、湯を保温するだけではなく、冷水の保冷や、氷の保存もでき、湯を保温しておくのに、電力を使わずとも長時間保温できるので、屋内外や、野外へ自由に持ち運びできる。  なお第２実施例で示した図３の保温容器を、電磁誘導加熱調理器の加熱部位の上に置き、加熱用の高周波磁界を発生させて湯を沸すこともできる。
【図面の簡単な説明】
【図１】本発明の一部を切り欠いた前面図である。
【図２】高周波電力器（８）の一部を切り欠いた前面図である。
【図３】本発明の第２実施例を示す一部を切り欠いた前面図である。
【図４】「図３」のブロック回路図である。
【図５】高周波電力器（８）のブロック回路図である。
【符号の説明】
１内容器    ２外容器    ３磁力発生コイル    ４端子    ５端子    ６底部カバー    ７真空    ８高周波電力器    ９端子    １０端子    １１磁力発生コイル    １２電源プラグ    １３電源スイッチ    １４切換スイッチ    １５整流回路    １６高周波インバーター    １７抵抗体    １８磁力発生コイル    １９ステンレス    ２０アルミニュウム
【図１】
2005192680.tif 000003
【図２】
2005192680.tif 000004
【図３】
2005192680.tif 000005
【図４】
2005192680.tif 000006
【図５】
2005192680.tif 000007